(57)【要約】【課題】環境測定装置と、携帯機器との位置関係に相対的な角度の制限が要求されず、且つ環境測定装置と携帯機器との間に障害物のある測定環境下であっても、環境測定装置と携帯機器との通信を行うことができる環境測定システムを提供する。【解決手段】環境測定装置３と、環境測定装置３と通信可能な携帯端末５とを含む環境測定システム１であって、環境測定装置３は、環境に関する複数の測定項目を測定するセンサ部３５を備える。携帯端末５は、環境測定装置３との通信の関連付け情報に有線接続及び無線接続のそれぞれの通信設定が含まれる場合、有線接続及び無線接続の何れか一方で環境測定装置３と通信可能である。無線接続は、赤外線より低い周波数である電波が通信媒体に使用される。【選択図】図１
2019185233.tif 000002
【特許請求の範囲】
【請求項１】
環境測定装置と、前記環境測定装置と通信可能な携帯端末とを含む環境測定システムであって、
前記携帯端末は、
前記環境測定装置との通信の関連付け情報に有線接続及び無線接続のそれぞれの通信設定が含まれる場合、前記有線接続及び前記無線接続の何れか一方で前記環境測定装置と通信可能であり、
前記無線接続は、
赤外線より低い周波数である電波が通信媒体に使用される、
ことを特徴とする環境測定システム。
【請求項２】
前記携帯端末は、
自機の周囲に前記環境測定装置が複数存在し、且つ前記環境測定装置のそれぞれとの通信の関連付け情報に接続順序の優先順位が含まれる場合、前記優先順位の高いものから順に前記無線接続を試みる、
ことを特徴とする請求項１に記載の環境測定システム。
【請求項３】
前記携帯端末は、
前記環境測定装置が待機状態であり、且つ自機の周囲に前記環境測定装置が複数存在する場合、前記環境測定装置のそれぞれに前記無線接続が可能であるか否かを問い合わせる、
ことを特徴とする請求項１又は２に記載の環境測定システム。
【請求項４】
前記携帯端末は、
前記関連付け情報に基づき関連付け処理を行う場合、設定された条件に従い、前記関連付け処理の対象となる前記環境測定装置の候補を絞り込む、
ことを特徴とする請求項１〜３の何れか一項に記載の環境測定システム。
【請求項５】
前記環境測定装置は、
前記携帯端末との接続状態が前記有線接続及び前記無線接続の何れであるかを報知する報知部、
をさらに備える、
ことを特徴とする請求項１〜４の何れか一項に記載の環境測定システム。
【発明の詳細な説明】
【技術分野】
【０００１】
本開示は、環境測定システムに関する。
【背景技術】
【０００２】
従来、環境測定装置と、環境測定装置と通信可能な携帯端末との通信方式の一つとして、ＩｒＤＡ（Ｉｎｆｒａｒｅｄ  Ｄａｔａ  Ａｓｓｏｃｉａｔｉｏｎ）の規格に準拠する赤外線通信が採用されている（例えば、特許文献１参照）。よって、環境測定装置と、携帯端末を携帯する作業者との距離が離れている状態であっても、環境測定装置と、携帯端末との通信が可能である。
【先行技術文献】
【特許文献】
【０００３】
【特許文献１】特開２００１−１１６７４２号公報
【発明の概要】
【発明が解決しようとする課題】
【０００４】
しかし、赤外線通信は指向性がある。よって、特許文献１に記載のような従来技術で赤外線通信を行う場合、赤外線送信側及び赤外線受信側のそれぞれのポートに入射する入射光の光軸の角度によっては、環境測定装置と、携帯端末との通信ができなくなる恐れがある。つまり、従来技術では、環境測定装置と、携帯端末との位置関係に相対的な角度の制限が要求される。また、赤外線通信は通信媒体に近赤外線を利用しているため、赤外線送信側と赤外線受信側との間に障害物のある測定環境下において、特許文献１に記載のような従来技術で赤外線通信を行う場合、環境測定装置と、携帯端末との通信ができなくなる恐れがある。
【０００５】
本開示はこのような状況に鑑みてなされたものであり、環境測定装置と、携帯端末との位置関係に相対的な角度の制限が要求されず、且つ環境測定装置と携帯端末との間に障害物のある測定環境下であっても、環境測定装置と携帯端末との通信を行うことができるようにするものである。
【課題を解決するための手段】
【０００６】
本開示の一側面である環境測定システムは、環境測定装置と、前記環境測定装置と通信可能な携帯端末とを含む環境測定システムであって、前記携帯端末は、前記環境測定装置との通信の関連付け情報に有線接続及び無線接続のそれぞれの通信設定が含まれる場合、前記有線接続及び前記無線接続の何れか一方で前記環境測定装置と通信可能であり、前記無線接続は、赤外線より低い周波数である電波が通信媒体に使用される。
【０００７】
また、前記携帯端末は、自機の周囲に前記環境測定装置が複数存在し、且つ前記環境測定装置のそれぞれとの通信の関連付け情報に接続順序の優先順位が含まれる場合、前記優先順位の高いものから順に前記無線接続を試みる、ことが好ましい。
【０００８】
また、前記携帯端末は、前記環境測定装置が待機状態であり、且つ自機の周囲に前記環境測定装置が複数存在する場合、前記環境測定装置のそれぞれに前記無線接続が可能であるか否かを問い合わせる、ことが好ましい。
【０００９】
また、前記携帯端末は、前記関連付け情報に基づき関連付け処理を行う場合、設定された条件に従い、前記関連付け処理の対象となる前記環境測定装置の候補を絞り込む、ことが好ましい。
【００１０】
また、前記環境測定装置は、前記携帯端末との接続状態が前記有線接続及び前記無線接続の何れであるかを報知する報知部、をさらに備える、ことが好ましい。
【発明の効果】
【００１１】
本開示の一側面によれば、環境測定装置と、携帯端末との位置関係に相対的な角度の制限が要求されず、且つ環境測定装置と携帯端末との間に障害物のある測定環境下であっても、環境測定装置と携帯端末との通信を行うことができる。
【図面の簡単な説明】
【００１２】
【図１】本開示を適用した実施形態に係る環境測定システム１のシステム構成例を示す図である。
【図２】本開示を適用した実施形態に係る環境測定システム１の機能構成例を示すブロック図である。
【図３】本開示を適用した実施形態に係るＢｌｕｅｔｏｏｔｈの接続方式の一例について説明する図である。
【図４】本開示を適用した実施形態に係るＢｌｕｅｔｏｏｔｈ接続における携帯端末５及び環境測定装置３の状態遷移の一例を示す図である。
【図５】本開示を適用した実施形態に係る携帯端末５と環境測定装置３との接続構成における環境測定装置３の状態遷移の一例を示す図である。
【図６】本開示を適用した実施形態に係る携帯端末５と環境測定装置３＿１〜３＿３との接続構成の一例を示す図である。
【図７】本開示を適用した実施形態に係る通信設定処理の一例を説明するフローチャートである。
【図８】本開示を適用した実施形態に係るポート確認処理の一例を説明するフローチャートである。
【図９】本開示を適用した実施形態に係る無線接続から有線接続に切り替える切替処理の一例を説明するフローチャートである。
【図１０】本開示を適用した実施形態に係る各種設定画面の一例を説明する図である。
【図１１】本開示を適用した実施形態に係る通信設定画面の一例を説明する図である。
【発明を実施するための形態】
【００１３】
以下、図面に基づいて本開示の実施形態を説明するが、本開示は以下の実施形態に限られるものではない。
【００１４】
図１は、本開示を適用した実施形態に係る環境測定システム１のシステム構成例を示す図である。図２は、本開示を適用した実施形態に係る環境測定システム１の機能構成例を示すブロック図である。図１に示すように、環境測定システム１は、環境測定装置３と、携帯端末５とを含む。携帯端末５は、有線接続及び無線接続の何れかにより、環境測定装置３と通信可能なものである。環境測定装置３は、測定対象となる建築物に配置される。例えば、環境測定装置３は、ビル内の空気環境を測定すべき場所に配置される。環境測定装置３は、ビル衛生管理法に基づき、ビル内の空気環境測定項目を測定する。ビル内の空気環境測定項目は、具体的には、浮遊粉塵、一酸化炭素、二酸化炭素、温度、相対湿度、及び気流等のような空気環境の物理量である。なお、ビル衛生管理法が改正され、新たな空気環境の物理量が測定すべき空気環境測定項目に追加される場合、環境測定装置３は追加される空気環境測定項目を測定するセンサーがさらに実装可能である。また、携帯端末５から環境測定装置３に空気環境の物理量の測定指令がされれば、環境測定装置３は、作業者の呼気の影響を受けずに空気環境の物理量の測定を行うことができる。つまり、環境測定システム１は、環境測定装置３と、携帯端末５とを含むことにより、呼気の影響を受けずに測定可能な測定環境を構築している。
【００１５】
環境測定装置３は、筐体３１の側面に端子部３２が設けられている。端子部３２は、各種端子を備え、例えば、ＤＣジャック、ＣＯＭポート、及びＵＳＢポート等が設けられている。ＤＣジャックは、電源部４３と導通状態であって、ＤＣプラグが挿入されたときには、ＤＣプラグと導通状態にあるＡＣアダプターから供給される電力を電源部４３に供給する。電源部４３は、外部から供給される電力をバッテリ４４に充電する。ＣＯＭポートは、シリアルケーブルが接続されたときには、シリアル通信により、データロガー部４１に各種指令及びデータを供給する。ＵＳＢポートは、データ転送用のＵＳＢケーブルが接続されたときには、データロガー部４１に各種データを供給する。
【００１６】
環境測定装置３は、筐体３１の上部には、電源ボタン３３、報知部３４ａ〜３４ｅ、温湿度計３５ａ、ＣＯ計３５ｂ、ＣＯ２計３５ｃ、風速計３５ｄ、粉塵計３５ｅ、及び操作部３７が設けられている。環境測定装置３は、データロガー部４１及び通信部４５を備える。なお、報知部３４ａ〜３４ｅを総称する場合、報知部３４と称する。温湿度計３５ａ、ＣＯ計３５ｂ、ＣＯ２計３５ｃ、風速計３５ｄ、及び粉塵計３５ｅを総称する場合、センサ部３５と称する。電源ボタン３３は、作業者に操作されることにより、電源部４３に供給される電力又はバッテリ４４に充電された電力が、報知部３４、センサ部３５、操作部３７、及びデータロガー部４１に供給される。
【００１７】
報知部３４ａは、電源部４３に電力が供給されている状態と、バッテリ４４が充電されている状態とを、識別可能に報知する。例えば、報知部３４ａは、第１の色のＬＥＤと、第２の色のＬＥＤとからなる２種類の色のＬＥＤを備え、２種類の色の何れか一方に点灯制御される。報知部３４ｂは、センサ部３５によりビル内の空気環境測定項目が測定されている状態と、携帯端末５と通信されている状態とを、識別可能に報知する。例えば、報知部３４ｂは、報知部３４ａと同様の構成で、同様に点灯制御される。報知部３４ｃは、エラーである旨を報知する。例えば、報知部３４ｃは、ＬＥＤを備え、エラーである旨を報知する場合、点灯制御される。報知部３４ｄは、無線接続されている旨を報知する。具体的には、報知部３４ｄは、ＬＥＤを備え、Ｂｌｕｅｔｏｏｔｈ（登録商標）通信である旨を報知する場合、点灯制御される。報知部３４ｅは、有線接続されている旨を報知する。具体的には、報知部３４ｅは、ＬＥＤを備え、ＵＳＢ通信である旨を報知する場合、点灯制御される。つまり、環境測定装置３は、報知部３４により、携帯端末５との接続状態が有線接続及び無線接続の何れであるかを報知する。
【００１８】
温湿度計３５ａは、周囲の温度及び空気中の相対湿度を測定する。ＣＯ計３５ｂは、空気中の一酸化炭素濃度を測定する。ＣＯ２計３５ｃは、空気中の二酸化炭素濃度を測定する。風速計３５ｄは、空気中の風速を測定する。粉塵計３５ｅは、空気中の塵埃の濃度を測定する。温湿度計３５ａ、ＣＯ計３５ｂ、ＣＯ２計３５ｃ、風速計３５ｄ、及び粉塵計３５ｅの測定結果は、データロガー部４１に出力される。データロガー部４１は、ＣＰＵ４１ａと、メモリ４１ｂとを備える。ＣＰＵ４１ａは、メモリ４１ｂに記憶されている制御プログラムに従い、環境測定装置３の全体動作を制御し、センサ部３５の測定結果を演算処理し、測定データを生成する。つまり、ＣＰＵ４１ａは、温湿度計３５ａ、ＣＯ計３５ｂ、ＣＯ２計３５ｃ、風速計３５ｄ、及び粉塵計３５ｅごとのルックアップテーブル又は換算式をメモリ４１ｂに予め記憶し、必要に応じて、メモリ４１ｂから呼び出すことにより、各測定結果を各物理量の測定データに換算する演算処理を実行する。各物理量の測定データは、携帯端末５の表示部５２にて表示可能である。
【００１９】
通信部４５は、ベースバンドプロセッサ、受信部、送信部、及びアンテナ等を備え、無線接続による通信方式を実現する。無線接続による通信方式は、例えば、Ｗｉ−Ｆｉ（登録商標）、Ｂｌｕｅｔｏｏｔｈ、ＮＦＣ（Ｎｅａｒ  Ｆｉｅｌｄ  Ｃｏｍｍｕｎｉｃａｔｉｏｎ）、ＬＴＥ（Ｌｏｎｇ  Ｔｅｒｍ  Ｅｖｏｌｕｔｉｏｎ）、ＺｉｇＢｅｅ（登録商標）、専用ドングルを使用した２．４ＧＨｚ通信、及び赤外線通信等である。赤外線通信は、接続する一方の機器と他方の機器との間に障害物があった場合、通信を行うことができない。よって、無線接続は、Ｗｉ−Ｆｉ、Ｂｌｕｅｔｏｏｔｈ、ＮＦＣ、ＬＴＥ、ＺｉｇＢｅｅ、及び専用ドングルを使用した２．４ＧＨｚ通信のように、赤外線より低い周波数である電波が通信媒体に使用されるのが好ましい。
【００２０】
携帯端末５は、表示部５２、操作部５３、端子部５４、電源ボタン５６が筐体５１に設けられている。携帯端末５は、通信部５５、ＣＰＵ６１、メモリ６２、電源部６３、及びバッテリ６４を備える。表示部５２は、例えば液晶ディスプレイから構成され、環境測定装置３の操作に関するものが表示される。表示部５２の表示内容の一例は後述する。操作部５３は、各種キーから構成され、表示部５２の表示内容に基づく操作が可能である。なお、表示部５２と、操作部５３とが一体的に構成されてもよい。例えば、操作部５３をタッチパネルから構成し、タッチパネルと、液晶ディスプレイとを重ね合わせて液晶型タッチパネルディスプレイが構成されてもよい。端子部５４は、ＵＳＢポートが設けられている。ＵＳＢポートは、データ転送用のＵＳＢケーブルの一方が端子部５４に接続され、他方が環境測定装置３の端子部３２に接続されたときには、環境測定装置３と、携帯端末５との間でＵＳＢ通信が可能となる。電源ボタン５６は、作業者に操作されることにより、電源部６３に供給される電力又はバッテリ６４に充電された電力が、表示部５２、操作部５３、通信部５５、ＣＰＵ６１、及びメモリ６２に供給される。
【００２１】
通信部５５は、通信部４５と同様の構成及び機能であるため、その説明については省略する。Ｂｌｕｅｔｏｏｔｈ通信による無線接続の詳細については後述する。ＣＰＵ６１は、メモリ６２に記憶されている制御プログラムに従い、携帯端末５の全体動作を制御する。制御例の詳細についてはフローチャートを用いて後述する。図３は、本開示を適用した実施形態に係るＢｌｕｅｔｏｏｔｈの接続方式の一例について説明する図である。Ｂｌｕｅｔｏｏｈは、ＩＳＭ（Ｉｎｄｕｓｔｒｉａｌ  Ｓｃｉｅｎｃｅ  ａｎｄ  Ｍｅｄｉｃａｌ）帯の周波数帯を用い、半径１０ｍ〜１００ｍ程度の範囲で通信を行うための無線通信方式である。Ｂｌｕｅｔｏｏｔｈでは、ピコネットとスキャッタネットと呼ばれる２種類の接続方式により、複数の機器を接続する。
【００２２】
ピコネットは、図３（Ａ）に示すように、１台のマスター機器Ｍの周囲約１０ｍ以内の距離に、スレーブ機器Ｓを最大７台まで同時接続する接続方式である。ピコネットでは、マスター機器Ｍに対して複数のスレーブ機器Ｓが接続されるため、スレーブ機器Ｓ間でのデータ等のやりとりは、マスター機器Ｍを介して行われる。スキャッタネットは、図３（Ｂ）に示すように、図３（Ａ）で説明したようなピコネット同士を連結して構成される接続方式であり、約１００ｍ程度の範囲で連結した無線接続を実現できる。
【００２３】
次に、上記で説明したマスター機器Ｍとスレーブ機器ＳとをＢｌｕｅｔｏｏｔｈ接続する場合における各機器の状態遷移につき、図４を用いて説明する。図４は、本開示を適用した実施形態に係るＢｌｕｅｔｏｏｔｈ接続における携帯端末５及び環境測定装置３の状態遷移の一例を示す図である。マスター機器Ｍとスレーブ機器ＳとをＢｌｕｅｔｏｏｔｈ接続する場合、マスター機器Ｍ及びスレーブ機器Ｓの状態は、待ち受けフェーズ、接続確立フェーズ、接続フェーズ、及び低消費電力モードに分けることができる。携帯端末５及び環境測定装置３の電源投入直後又は通信リンクを切断した場合、携帯端末５及び環境測定装置３は待ち受け状態に入る。待ち受け状態では、データの送受信は行わない。
【００２４】
接続確立フェーズは、問い合わせ状態及び呼び出し状態の２つの状態から構成されている。問い合わせ状態は、マスター機器Ｍが予め設定された範囲内に存在するスレーブ機器Ｓを認識するための状態である。問い合わせ状態は、マスター機器Ｍがスレーブ機器Ｓとの接続の可能性を問い合わせている状態である。次に、携帯端末５をマスター機器Ｍとし、環境測定装置３をスレーブ機器Ｓとし、携帯端末５及び環境測定装置３を総称して機器と称することとした場合に、携帯端末５が、自機の周囲に存在する環境測定装置３に接続の可能性を問い合わせる状況について説明する。
【００２５】
具体的には、携帯端末５の周囲に環境測定装置３が複数存在する場合を想定する。携帯端末５は、全ての環境測定装置３に対して、ＩＱ（ＩｎＱｕｉｒｙ）パケットを連続的に送信する。ＩＱパケットは、携帯端末５及び環境測定装置３の全ての機器で共有するコードで構成されている。環境測定装置３は、ＩＱパケットを受信すると、予め設定された時間の経過後、同じＩＱパケットが送信されるのを待ってから、ＦＨＳ（Ｆｒｅｑｕｅｎｃｙ  Ｈｏｐ  Ｓｙｎｃｈｒｏｎｉｚａｔｉｏｎ）パケットを携帯端末５に対して送信する。ＦＨＳパケットは、Ｂｌｕｅｔｏｏｔｈ通信対応可能な機器又は機器固有のアドレスであるＢＤ（Ｂｌｕｅｔｏｏｔｈ  Ｄｅｖｉｃｅ）アドレス等を通知するためのパケットである。
【００２６】
なお、環境測定装置３がＦＨＳパケットをすぐに送信しないのは、他の環境測定装置３から同時に送信されたＦＨＳパケットとの衝突を回避するためである。このように、環境測定装置３からのＦＨＳパケットの送信タイミングをずらすことにより、携帯端末５は、予め設定された範囲内に存在する全ての環境測定装置３を認識することができる。
【００２７】
呼び出し状態は、携帯端末５と、環境測定装置３とを接続するときの状態である。具体的には、携帯端末５は、呼び出したい環境測定装置３に対して、ＩＤ（ＩＤｅｎｔｉｆｉｃａｔｉｏｎ）パケットを送信する。ＩＤパケットは、各機器のＢＤアドレスに基づき生成されたコードで構成されている。環境測定装置３は、ＩＤパケットを受信すると、受信応答として、携帯端末５に対して、ＩＤパケットを送信する。携帯端末５は、受信応答を確認すると、環境測定装置３に対してＦＨＳパケットを送信する。環境測定装置３は、ＦＨＳパケットを受信すると、受信応答として、携帯端末５に対して、ＩＤパケットを送信する。このようにして、携帯端末５と、環境測定装置３との接続が確立される。
【００２８】
接続フェーズは、接続状態及びデータ転送状態の２つの状態から構成されている。接続状態は、携帯端末５と、環境測定装置３との接続が確立され、制御パケットの送受信が可能な状態である。データ転送状態は、データパケットの送受信が可能な状態である。データパケットの送受信が完了して通信リンクが切断されると、機器は待ち受け状態に戻る。
【００２９】
低消費電力モードは、パーク状態、ホールド状態、及びスニフ状態の３つの状態から構成されている。パーク状態は、環境測定装置３のみが遷移することができる状態である。パーク状態では、パーク周期と呼ばれる予め設定された時間の周期が設定され、パーク周期で携帯端末５からのパケットの受信を行うことにより、ピコネットへの同期を保持している。環境測定装置３は、パーク状態において、携帯端末５からのパケットの受信が可能であるが、携帯端末５に対するパケットの送信ができない。
【００３０】
ホールド状態は、携帯端末５及び環境測定装置３が遷移することができる状態である。ホールド状態では、ホールド周期と呼ばれる予め設定された時間の周期が設定され、ホールド周期中、機器は送受信を行わず、ほとんど通信電力を消費しない低電力のスリープ状態となる。ホールド周期後、通信が再開される。なお、ホールド状態中の携帯端末５及び環境測定装置３は、他のピコネットに参加することもできる。
【００３１】
スニフ状態は、環境測定装置３のみが遷移することができる状態である。スニフ状態では、スニフ周期と呼ばれる予め設定された時間の周期で送受信が行われ、送受信が行われない時間は、電力消費を抑制することができる。スニフ状態は、環境測定装置３ごとに指定されるので、ある環境測定装置３がスニフ状態に指定されている場合、携帯端末５は、他の環境測定装置３と通常の接続が可能である。
【００３２】
上記の説明において、携帯端末５と環境測定装置３との接続が確立された場合には、携帯端末５は、環境測定装置３との通信の関連付け情報を記憶し、以降の通信において関連付け情報を利用することにより、携帯端末５と環境測定装置３との接続を確立させる関連付け処理を行ってもよい。関連付け情報は、有線接続及び無線接続の何れが含まれていてもよい。携帯端末５は、関連付け情報に有線接続及び無線接続のそれぞれの通信設定が含まれる場合、有線接続及び無線接続の何れか一方で環境測定装置３と通信可能である。
【００３３】
なお、Ｂｌｕｅｔｏｏｔｈは、プロファイルと呼ばれるプロトコルが策定されている。例えば、ＧＡＰ（Ｇｅｎｅｒｉｃ  Ａｃｃｅｓｓ  Ｐｒｏｆｉｌｅ；汎用アクセスプロファイル）は、様々な機器を接続する際に必要な機器の認識やセキュリティを確立する手順の設定等を行うものであり、Ｂｌｕｅｔｏｏｔｈ通信を行うために搭載されるプロファイルの一つである。ＧＡＰが搭載された機器は、例えばペアリングが可能である。ペアリングは、主に鍵交換プロトコルを実行するものである。ペアリングは、例えば、ＰＩＮコードが使用される場合には最大１６桁の暗証コードが要求されるものであるが、４桁コードとしてＰＩＮコードが要求されるものであってもよい。具体的には、ペアリングが実装されていれば、作業者は、携帯端末５により検索された環境測定装置３の中から通信相手を選択し、必要に応じて認証用のＰＩＮコードを入力することにより、携帯端末５と環境測定装置３とを１対１で結びつける、すなわちペアリングすることができ、以降はペアリングされた通信相手との間で自動的に無線通信が行われるようになる。つまり、ペアリングされた通信相手を上記で説明した関連付け情報として記憶しておくことにより、以降のペアリング処理では、記憶された関連付け情報を利用してもよい。また、携帯端末５は、関連付け情報に基づき関連付け処理を行う場合、設定された条件に従い、関連付け処理の対象となる環境測定装置３の候補を絞り込んでもよい。設定された条件は、例えば、製造番号である。具体的には、製造番号の上位８桁を設定された条件として予め又は検索時に登録し、設定された条件が一致する環境測定装置３を関連付け処理の対象として絞り込んでもよい。
【００３４】
次に、携帯端末５及び環境測定装置３における特有の状態遷移及び接続構成についてそれぞれ図５及び図６を用いて具体的に説明する。図５は、本開示を適用した実施形態に係る携帯端末５と環境測定装置３との接続構成における環境測定装置３の状態遷移の一例を示す図である。図５に示すように、環境測定装置３は、携帯端末５との通信により、待機状態、測定状態、及び校正状態の３つの状態に状態遷移される。環境測定装置３は、待機状態であるときに、携帯端末５から測定指示があれば、測定状態に遷移する。環境測定装置３は、測定終了したときには、測定状態から待機状態に遷移する。環境測定装置３は、待機状態であるときに、携帯端末５から校正指示があれば、校正状態に遷移する。環境測定装置３は、校正終了したときには、校正状態から待機状態に遷移する。
【００３５】
図６は、本開示を適用した実施形態に係る携帯端末５と環境測定装置３＿１〜３＿３との接続構成の一例を示す図である。なお、環境測定装置３＿１〜３＿３の何れかを特に限定しない場合、環境測定装置３と称する。携帯端末５は、環境測定装置３に測定指示を出したときには、他の環境測定装置３にポートが正常に使用できるか否かの確認を行わない。携帯端末５は、環境測定装置３＿１〜３＿３が待機状態であるときには、環境測定装置３＿１〜３＿３のそれぞれに、ポートが正常に使用できるか否かの確認を行う。具体的には、携帯端末５は、ポートがオープンされた後、環境測定装置３＿１〜３＿３のそれぞれと一定間隔で通信を行うことにより、ポートが正常に使用できるか否かの確認を行う。通信により送受信されるものは、例えば、環境測定装置３の電池残量情報であるが、携帯端末５と環境測定装置３とで実現されている通信方式の通信情報であってもよい。通信により送受信されたものは、携帯端末５の表示部５２に表示されてもよい。つまり、携帯端末５は、環境測定装置３が待機状態であり、且つ自機の周囲に環境測定装置３が複数存在する場合、環境測定装置３のそれぞれに無線接続が可能であるか否かを問い合わせる。
【００３６】
次に、事前に行う通信設定についてより具体的に図７を用いて説明する。図７は、本開示を適用した実施形態に係る通信設定処理の一例を説明するフローチャートである。なお、ポートは、携帯端末５と、環境測定装置３とでシリアル通信を行う仮想ＣＯＭポートを想定しているが、特にこれに限定されるものではない。また、ステップＳ１１〜ステップＳ２９の処理は、通信設定処理であって、携帯端末５側で実行される。ステップＳ４１の処理はペアリング処理であり、ステップＳ５１〜ステップＳ５７の処理はポート処理であって、それぞれ環境測定装置３側で実行される。
【００３７】
ステップＳ１１において、ＣＰＵ６１は、Ｂｌｕｅｔｏｏｔｈ通信を行う環境測定装置３を検索する。ステップＳ１２において、ＣＰＵ６１は、設定された条件があるか否かを判定する。ＣＰＵ６１は、設定された条件があると判定する場合（ステップＳ１２；Ｙ）、ステップＳ１３の処理に移行する。ＣＰＵ６１は、設定された条件がないと判定する場合（ステップＳ１２；Ｎ）、ステップＳ１４の処理に移行する。ステップＳ１３において、ＣＰＵ６１は、設定された条件に従い、Ｂｌｕｅｔｏｏｔｈ通信を行う環境測定装置３を絞り込む。ステップＳ１４において、ＣＰＵ６１は、環境測定装置３が選択されたか否かを判定する。ＣＰＵ６１は、環境測定装置３が選択されたと判定する場合（ステップＳ１４；Ｙ）、ステップＳ１５の処理に移行する。ＣＰＵ６１は、環境測定装置３が選択されていないと判定する場合（ステップＳ１４；Ｎ）、ステップＳ１４の処理を継続する。ステップＳ１５において、ＣＰＵ６１は、選択された環境測定装置３とペアリングを行う。ステップＳ１６において、ＣＰＵ６１は、ペアリング処理が完了したか否かを判定する。ＣＰＵ６１は、ペアリング処理が完了したと判定する場合（ステップＳ１６；Ｙ）、ステップＳ１７の処理に移行する。ＣＰＵ６１は、ペアリング処理が完了していないと判定する場合（ステップＳ１６；Ｎ）、ステップＳ１６の処理を継続する。具体的には、ステップＳ１５の処理により、ステップＳ４１において、環境測定装置３のＣＰＵ４１ａは、ペアリング処理を実行し、ペアリング処理が完了した場合、その旨を携帯端末５のＣＰＵ６１に報知するので、ステップＳ１６の処理は、ステップＳ４１の処理が完了してその旨が報知されるまで継続される。
【００３８】
ステップＳ１７において、ＣＰＵ６１は、未登録且つ使用用途未定のポートを検出する。未登録のポートは、ペアリングにより使用されることになっていないポートが該当する。使用用途未定のポートも条件とする理由は、使用用途がわかっているポートを除外するためである。ステップＳ１８において、ＣＰＵ６１は、ポートオープン処理を指令する。ステップＳ１８の処理により、環境測定装置３のＣＰＵ４１ａは、ポート処理を開始する。ステップＳ５１において、ＣＰＵ４１ａは、ポートオープン処理を実行し、ポートオープン処理が完了した場合又はポートオープン処理が不可である場合、その何れかである旨を携帯端末５のＣＰＵ６１に報知し、ステップＳ５２〜ステップＳ５５の処理に移行する。ステップＳ５２において、ＣＰＵ４１ａは、オープンされたポートの種類が何れであるかを判定する。ＣＰＵ４１ａは、オープンされたポートの種類がＢｌｕｅｔｏｏｔｈであると判定する場合（ステップＳ５２；Ｂｌｕｅｔｏｏｔｈ）、ステップＳ５３の処理に移行する。ＣＰＵ４１ａは、オープンされたポートの種類がＵＳＢであると判定する場合（ステップＳ５２；ＵＳＢ）、ステップＳ５４の処理に移行する。ステップＳ５３において、ＣＰＵ４１ａは、Ｂｌｕｅｔｏｏｔｈ通信である旨を報知する。ステップＳ５４において、ＣＰＵ４１ａは、ＵＳＢ通信である旨を報知する。ステップＳ５５において、ＣＰＵ４１ａは、Ｂｌｕｅｔｏｏｔｈ通信を解除する。
【００３９】
ステップＳ１９において、ＣＰＵ６１は、ポートの状態が何れかであるかを判定する。ＣＰＵ６１は、ポートの状態がオープン完了であると判定する場合（ステップＳ１９；オープン完了）、ステップＳ２０の処理に移行する。ＣＰＵ６１は、ポートの状態がオープン不可であると判定する場合（ステップＳ１９；オープン不可）、ステップＳ２６の処理に移行する。ステップＳ２０において、ＣＰＵ６１は、通信方式を問い合わせる。環境測定装置３のＣＰＵ４１ａは、ステップＳ２０の処理が実行された場合、ステップＳ５６において、通信方式の通信情報を送信する。ステップＳ２１において、ＣＰＵ６１は、通信方式がＢｌｕｅｔｏｏｔｈであるか否かを判定する。ＣＰＵ６１は、通信方式がＢｌｕｅｔｏｏｔｈであると判定する場合（ステップＳ２１；Ｙ）、ステップＳ２２の処理に移行する。ＣＰＵ６１は、通信方式がＢｌｕｅｔｏｏｔｈでないと判定する場合（ステップＳ２１；Ｎ）、ステップＳ２４の処理に移行する。ステップＳ２２において、ＣＰＵ６１は、ペアリングした環境測定装置３の機器名称とポート番号とを関連付けて保存する。ステップＳ２３において、ＣＰＵ６１は、保存した機器名称を表示する。ステップＳ２４において、ＣＰＵ６１は、現在オープンしているポートに対しポートクローズ処理を指令する。環境測定装置３のＣＰＵ４１ａは、ステップＳ２４の処理が実行された場合、ステップＳ５７において、ポートクローズ処理を実行し、ポートクローズ処理が完了した場合、その旨を携帯端末５のＣＰＵ６１に報知し、ポート処理を終了する。
【００４０】
ステップＳ２５において、ＣＰＵ６１は、ＵＳＢ通信に使用されるポートがクローズされたか否かを判定する。ＣＰＵ６１は、ＵＳＢ通信に使用されるポートがクローズされたと判定する場合（ステップＳ２５；Ｙ）、ステップＳ２７の処理に移行する。ＣＰＵ６１は、ＵＳＢ通信に使用されるポートがクローズされていない場合（ステップＳ２５；Ｎ）、すなわち、Ｂｌｕｅｔｏｏｔｈ通信に使用されるポートがクローズされたと判定する場合、通信設定処理を終了する。
【００４１】
ステップＳ２６において、ＣＰＵ６１は、全てのポートのポートオープン処理が実行されたか否かを判定する。ＣＰＵ６１は、全てのポートのポートオープン処理が実行されたと判定する場合（ステップＳ２６；Ｙ）、ステップＳ２９の処理に移行し、ステップＳ２９において、エラーである旨を報知し、通信設定処理を終了する。エラーである旨の報知は、環境測定装置３であれば、報知部３４ｃを点灯制御すればよいが、携帯端末５の表示部５２にエラーコード等を表示させてもよい。一方、エラーである旨の報知は、携帯端末５であれば、表示部５２にその旨を表示させればよいが、環境測定装置３の電池残量表示が０％である旨を表示部５２に表示させてもよい。ＣＰＵ６１は、全てのポートのポートオープン処理が実行されていないと判定する場合（ステップＳ２６；Ｎ）、ステップＳ２７の処理に移行する。なお、全てのポートのポートオープン処理が実行されていないという意味は、一部のポートのポートオープン処理は実行されているが、少なくとも他の一部のポートのポートオープン処理は実行されていないという状態である。ステップＳ２７において、ＣＰＵ６１は、変更可能なポートがあるか否かを判定する。ＣＰＵ６１は、変更可能なポートがあると判定する場合（ステップＳ２７；Ｙ）、ステップＳ２８の処理に移行する。ＣＰＵ６１は、変更可能なポートがないと判定する場合（ステップＳ２７；Ｎ）、ステップＳ２９の処理に移行する。ステップＳ２８において、ＣＰＵ６１は、別のポートに変更し、ステップＳ１８の処理に戻る。つまり、ポートオープンが不可であったとしても、別のポートで再度ポートオープン処理を試みる。
【００４２】
次に、上記で説明したポートが正常に使用できるか否かを確認する処理についてより具体的に図８を用いて説明する。図８は、本開示を適用した実施形態に係るポート確認処理の一例を説明するフローチャートである。ステップＳ７１〜ステップＳ８４の処理は、ポート確認処理であって、携帯端末５側で実行される。ステップＳ９１〜ステップＳ９７の処理は、ポート処理であって、環境測定装置３側で実行される。ステップＳ９１〜ステップＳ９５及びステップＳ９７の処理は、上記で説明したステップＳ５１〜ステップＳ５５及びステップＳ５７の処理と同様であるため、その説明については省略する。なお、携帯端末５は、自機の周囲に環境測定装置３が複数存在し、且つ環境測定装置３のそれぞれとの通信の関連付け情報に接続順序の優先順位が含まれる場合、優先順位の高いものから順に無線接続を試みる。優先順位は特に限定されるものではない。例えば、作業者が最も使用する環境測定装置３を最も高い優先順位に設定してもよい。
【００４３】
ステップＳ７１において、ＣＰＵ６１は、環境測定装置３が待機状態であるか否かを判定する。ＣＰＵ６１は、環境測定装置３が待機状態であると判定する場合（ステップＳ７１；Ｙ）、ステップＳ７２の処理に移行する。ＣＰＵ６１は、環境測定装置３が待機状態でないと判定する場合（ステップＳ７１；Ｎ）、ポート確認処理を終了する。ステップＳ７２において、ＣＰＵ６１は、ｎに１を設定する。なお、ｎは優先順位を特定するための変数として利用する。ステップＳ７３において、ＣＰＵ６１は、優先順位がｎ番目の環境測定装置３に対応するポートを選択する。ステップＳ７４において、ＣＰＵ６１は、選択したポートに対しポートオープン処理を指令する。ステップＳ７５において、ＣＰＵ６１は、ポートの状態が何れであるかを判定する。ＣＰＵ６１は、ポートの状態がオープン完了であると判定する場合（ステップＳ７５；オープン完了）、ステップＳ７６の処理に移行する。ＣＰＵ６１は、ポートの状態がオープン不可であると判定する場合（ステップＳ７５；オープン不可）、ステップＳ８１の処理に移行する。
【００４４】
ステップＳ７６において、ＣＰＵ６１は、電池残量情報を要求する。環境測定装置３のＣＰＵ４１ａは、ステップＳ７６の処理が実行された場合、ステップＳ９６において、要求に応答し、携帯端末５のＣＰＵ６１に電池残量情報を応答する。ステップＳ７７において、ＣＰＵ６１は、電池残量情報の応答があるか否かを判定する。ＣＰＵ６１は、電池残量情報の応答があると判定する場合（ステップＳ７７；Ｙ）、ステップＳ７８の処理に移行する。ＣＰＵ６１は、電池残量情報の応答がないと判定する場合（ステップＳ７７；Ｎ）、ステップＳ８３の処理に移行し、ステップＳ８３において、応答許容時間を超過したか否かを判定する。応答許容時間は、電池残量情報を要求してから応答があるまでの待ち時間の上限値が設定されればよい。ＣＰＵ６１は、応答許容時間を超過したと判定する場合（ステップＳ８３；Ｙ）、ステップＳ８４の処理に移行し、ステップＳ８４において、エラーである旨を報知し、ステップＳ８０の処理に移行する。なお、ステップＳ８４の処理は、ステップＳ２９の処理と同様にすればよい。ＣＰＵ６１は、応答許容時間を超過していないと判定する場合（ステップＳ８３；Ｎ）、ステップＳ７７の処理に戻る。
【００４５】
ステップＳ７８において、ＣＰＵ６１は、電池残量情報を報知する。ステップＳ７９において、ＣＰＵ６１は、切替周期が到来したか否かを判定する。ＣＰＵ６１は、切替周期が到来したと判定する場合（ステップＳ７９；Ｙ）、ステップＳ８０の処理に移行する。ＣＰＵ６１は、切替周期が到来しないと判定する場合（ステップＳ７９；Ｎ）、ステップＳ７９の処理を継続する。ステップＳ８０において、ＣＰＵ６１は、現在オープンしているポートに対しポートクローズ処理を指令する。ステップＳ８１において、ＣＰＵ６１は、ｎに１を追加する。ステップＳ８２において、ＣＰＵ６１は、ｎが最大値に到達したか否かを判定する。ＣＰＵ６１は、ｎが最大値に到達したと判定する場合（ステップＳ８２；Ｙ）、ステップＳ７１の処理に戻る。ＣＰＵ６１は、ｎが最大値に到達していないと判定する場合（ステップＳ８２；Ｎ）、ステップＳ７３の処理に戻る。なお、ｎの最大値は、優先順位が設定されている環境測定装置３の台数であればよいが、特にこれに限定されるものではなく、環境測定装置３の使用状況に応じて適宜設定されればよい。
【００４６】
次に、電波障害又は第三者からの不正接続等によりＢｌｕｅｔｏｏｔｈ通信が正常に行えない場合であっても、有線接続により携帯端末５と環境測定装置３とのポートを確保することで、測定作業を継続させる処理について図９を用いて説明する。図９は、本開示を適用した実施形態に係る無線接続から有線接続に切り替える切替処理の一例を説明するフローチャートである。ステップＳ１１１及びステップＳ１１２の処理は、有線接続指令処理であって、携帯端末５側で実行される。ステップＳ１２１〜ステップＳ１２７の処理は、切替処理であって、環境測定装置３側で実行される。
【００４７】
ステップＳ１１１において、ＣＰＵ６１は、ＵＳＢ通信に対応するポートを選択する。ステップＳ１１２において、ＣＰＵ６１は、選択したポートに対しポートオープン処理を指令し、有線接続指令処理を終了する。環境測定装置３のＣＰＵ４１ａは、ステップＳ１１２の処理が実行される場合、ステップＳ１２１〜ステップＳ１２７の処理を実行する。ステップＳ１２１において、ＣＰＵ４１ａは、Ｂｌｕｅｔｏｏｔｈ通信が継続中であるか否かを判定する。ＣＰＵ４１ａは、Ｂｌｕｅｔｏｏｔｈ通信が継続中であると判定する場合（ステップＳ１２１；Ｙ）、ステップＳ１２２の処理に移行する。ＣＰＵ４１ａは、Ｂｌｕｅｔｏｏｔｈ通信が継続中でないと判定する場合（ステップＳ１２１；Ｎ）、ステップＳ１２６の処理に移行する。ステップＳ１２２において、ＣＰＵ４１ａは、特定の動作が継続中であるか否かを判定する。ＣＰＵ４１ａは、特定の動作が継続中であると判定する場合（ステップＳ１２２；Ｙ）、ステップＳ１２２の処理を継続する。つまり、特定の動作が継続中であれば、特定の動作が完了するまで待機する。特定の動作は、環境測定装置３に特有の動作であって、例えば、ビル内の空気環境測定項目の測定動作である。ＣＰＵ４１ａは、特定の動作が継続中でないと判定する場合（ステップＳ１２２；Ｎ）、ステップＳ１２３の処理に移行する。ステップＳ１２３において、ＣＰＵ４１ａは、Ｂｌｕｅｔｏｏｔｈ通信に対応するポートのポートクローズ処理を実行する。ステップＳ１２４において、ＣＰＵ４１ａは、Ｂｌｕｅｔｏｏｔｈ通信である旨の報知を止める。例えば、報知部３４ｄの点灯制御を終了し、報知部３４ｄを消灯させる。ステップＳ１２５において、ＣＰＵ４１ａは、Ｂｌｕｅｔｏｏｔｈ通信を解除する。つまり、特定の動作が継続中である場合以外であって、且つＵＳＢ通信に対応するポートが選択された場合、Ｂｌｕｅｔｏｏｔｈ通信を強制的に解除する。Ｂｌｕｅｔｏｏｔｈ通信が解除されることにより、Ｂｌｕｅｔｏｏｔｈ通信は終了する。ステップＳ１２６において、ＣＰＵ４１ａは、ＵＳＢ通信に対応するポートのポートオープン処理を実行する。ステップＳ１２７において、ＣＰＵ４１ａは、ＵＳＢ通信である旨を報知し、切替処理は終了する。ＵＳＢ通信である旨の報知は、報知部３４ｅを点灯制御すればよいが、携帯端末５の表示部５２にその旨を表示させてもよい。
【００４８】
次に、上記で説明した各種処理を前提として、携帯端末５の表示部５２で表示されるＧＵＩ（Ｇｒａｐｈｉｃａｌ  Ｕｓｅｒ  Ｉｎｔｅｒｆａｃｅ）について図１０及び図１１を用いて説明する。図１０は、本開示を適用した実施形態に係る各種設定画面の一例を説明する図である。図１０に示すように、表示部５２は、アイコン要素１０１ａ〜１０４ａ及びラベル要素１０１ｂ〜１０４ｂが形成される。ステータス領域２０１，２０２には各種ステータスが表示される。アイコン要素１０１ａ及びラベル要素１０１ｂ、アイコン要素１０２ａ及びラベル要素１０２ｂ、アイコン要素１０３ａ及びラベル要素１０３ｂ、並びにアイコン要素１０４ａ及びラベル要素１０４ｂは、それぞれ同一の操作内容に関するものである。図１０の一例では、アイコン要素１０１ａの下にラベル要素１０１ｂが形成されるが、特にこれに限定されず、アイコン要素１０１ａの表面上にラベル要素１０１ｂが重ねて表示されてもよい。アイコン要素１０２ａ〜１０４ａ及びラベル要素１０２ｂ〜１０４ｂについても同様である。
【００４９】
表示部５２は、液晶型タッチパネルディスプレイから構成されるものであれば、アイコン要素１０１ａ〜１０４ａに触れることで、触れられた操作内容を実行させることができる。表示部５２は、液晶ディスプレイから構成されるものであれば、操作部５３の操作によりアイコン要素１０１ａ〜１０４ａの何れかが選択されることで、選択された操作内容を実行させることができる。例えば、アイコン要素１０１ａは、操作内容が、携帯端末５と、環境測定装置３とのデータ送受信を行わせることである。アイコン要素１０２ａは、操作内容が、環境測定装置３による空気環境測定項目を測定させることである。アイコン要素１０３ａは、操作内容が、環境測定装置３による各測定結果を各物理量の測定データに換算する演算処理を実行させることである。アイコン要素１０４ａは、操作内容が、環境測定装置３のセンサ部３５を校正させることである。なお、ステータス領域２０１には、携帯端末５とＢｌｕｅｔｏｏｔｈ通信を行っている環境測定装置３の製造番号及び電池残量情報が表示される。一方、ステータス領域２０２には、携帯端末５の電池残量情報が表示される。つまり、ステータス領域２０１，２０２には、機器の電池残量情報が報知されている。
【００５０】
図１１は、本開示を適用した実施形態に係る通信設定画面の一例を説明する図である。図１１に示すように、表示部５２は、アイコン要素１１１ａ〜１１４ａ，１２１ａ、ラベル要素１１１ｂ〜１１４ｂ，１２１ｂ、ラジオボタン要素１１５，１１６、スクロールバー要素１１７，１１８、ドロップダウンリスト要素１１９、リストボックス要素２１１〜２１３が形成される。ステータス領域２０２には上記と同様に携帯端末５の電池残量情報が表示される。アイコン要素１１１ａ及びラベル要素１１１ｂ、アイコン要素１１２ａ及びラベル要素１１２ｂ、アイコン要素１１３ａ及びラベル要素１１３ｂ、アイコン要素１１４ａ及びラベル要素１１４ｂ、並びにアイコン要素１２１ａ及びラベル要素１２１ｂは、それぞれ同一の操作内容に関するものである。図１１の一例では、アイコン要素１１１ａの表面上にラベル要素１１１ｂが重ねて表示されているが、特にこれに限定されず、アイコン要素１１１ａの下にラベル要素１０１ｂが形成されてもよい。アイコン要素１１２ａ〜１１４ａ，１２１ａ及びラベル要素１１２ｂ〜１１４ｂ，１２１ｂについても同様である。
【００５１】
アイコン要素１１１ａが操作されると、環境測定装置３の検索が開始され、リストボックス要素２１１に検索結果が表示される。リストボックス要素２１１に表示しきれない環境測定装置３があれば、スクロールバー要素１１７が操作されることにより表示可能となる。作業者は、リストボックス要素２１１に表示される環境測定装置３の何れかを選択することができる。アイコン要素１１２ａが操作されると、リストボックス要素２１１の中から選択された環境測定装置３とのペアリング処理が実行される。ペアリング済となった環境測定装置３は、リストボックス要素２１２に表示される。リストボックス要素２１２に表示しきれない環境測定装置３があれば、スクロールバー要素１１８が操作されることにより表示可能となる。なお、作業者は、リストボックス要素２１２に表示される環境測定装置３の何れかを選択してからアイコン要素１１３ａを操作することにより、ペアリング済の環境測定装置３のペアリングが削除されるので、選択された環境測定装置３と携帯端末５との関連付け情報を削除することができる。アイコン要素１１４ａが操作されると、携帯端末５と有線接続された環境測定装置３とのＵＳＢ通信テストが実行される。具体的には、ラジオボタン要素１１５が選択されたときには、ＣＯＭポートのポート番号が自動的に選択されるので、その選択結果がリストボックス要素２１３に表示された後、アイコン要素１１４ａが操作されればよい。一方、ラジオボタン要素１１６が選択されたときには、ＣＯＭポートのポート番号を作業者に指定させることができるので、ドロップダウンリスト要素１１９を作業者に操作させれば、リストボックス要素２１３にＣＯＭポートのポート番号が一覧表示される。よって、リストボックス要素２１３に一覧表示される中から作業者にＣＯＭポートのポート番号を指定させてから、アイコン要素１１４ａが操作されればよい。これにより、ＵＳＢ通信で利用するＣＯＭポートのポート番号が設定され、ＵＳＢ通信が可能となる。
【００５２】
以上の説明から、本実施形態においては、携帯端末５は、環境測定装置３との通信の関連付け情報に有線接続及び無線接続のそれぞれの通信設定が含まれる場合、有線接続及び無線接続の何れか一方で環境測定装置３と通信可能であり、無線接続は、赤外線より低い周波数である電波が通信媒体に使用される。よって、無線接続である場合、通信媒体は電波であるため、赤外線通信のように角度の制限が要求されることもなく、且つ障害物があったとしても障害物で通信が途絶えることがない。したがって、環境測定装置３と、携帯端末５との位置関係に相対的な角度の制限が要求されず、且つ環境測定装置３と携帯端末５との間に障害物のある測定環境下であっても、環境測定装置３と携帯端末５との通信を行うことができる。
【００５３】
また、本実施形態においては、携帯端末５の周囲に環境測定装置３が複数存在し、且つ携帯端末５と、環境測定装置３のそれぞれとの通信の関連付け情報に接続順序の優先順位が含まれる場合、優先順位の高いものから順に無線接続が試みられる。よって、携帯端末５を携帯する作業者が特に操作をしなくても、携帯端末５と環境測定装置３との接続が自動的に行われる。したがって、作業者は、環境測定場所まで、手元にある携帯端末５と環境測定装置３とを運べば、そのまま環境測定を開始できるため、設定コスト及び測定コストを低減することができる。
【００５４】
また、本実施形態においては、環境測定装置３が待機状態であり、且つ携帯端末５の周囲に環境測定装置３が複数存在する場合、環境測定装置３のそれぞれに無線接続が可能であるか否かの問い合わせが実行される。よって、作業者が特に操作をすることなく、携帯端末５に無線接続が可能な環境測定装置３が探索される。したがって、携帯端末５及び環境測定装置３の利便性を向上させることができる。
【００５５】
また、本実施形態においては、関連付け情報に基づき関連付け処理が行われる場合、設定された条件に従い、関連付け処理の対象となる環境測定装置３の候補が抽出される。よって、携帯端末５に無線接続可能な環境測定装置３が多数存在したとしても、設定された条件に従い絞り込まれる。したがって、携帯端末５の周囲に存在し、且つ携帯端末５に無関係な環境測定装置３を除外することができるため、作業者による作業エラーを未然に防ぐことができる。
【００５６】
また、本実施形態においては、環境測定装置３において、携帯端末５との接続状態が有線接続及び無線接続の何れであるかが報知される。よって、作業者は、直感的に接続状態が有線接続及び無線接続の何れであるかを知ることができる。したがって、測定項目に異常値が含まれる場合、測定項目に異常値が含まれるときの接続状態が有線接続及び無線接続の何れであるかが特定できるため、障害要因を切り分けることができる。
【００５７】
以上、本開示を適用した環境測定システム１を実施形態に基づいて説明したが、本開示はこれに限定されるものではなく、本開示の趣旨を逸脱しない範囲で、変更を加えてもよい。
【００５８】
例えば、本実施形態においては、報知部３４ａ〜３４ｅがＬＥＤを備える一例について説明したが、特にこれに限定されない。例えば、報知部３４ａ〜３４ｅは、音声生成部と、音声出力部とを備え、音声により上記各種報知が行われてもよい。また、報知部３４ａ〜３４ｅのＬＥＤが点灯制御されることにより上記各種報知が行われる一例について説明したが、特にこれに限定されない。例えば、報知部３４ａ〜３４ｅは、点灯と消灯とを一定のタイミングで行う点滅制御により、上記各種報知が行われてもよい。また、報知部３４ａ〜３４ｅが液晶パネル又は有機ＥＬ等のディスプレイを備え、ディスプレイに画像又は文字等を表示させることにより、上記各種報知が行われてもよい。また、報知部３４ａ〜３４ｅが備えるＬＥＤが７セグメントディスプレイを構成し、７セグメントディスプレイにより、上記各種報知が行われてもよい。
【００５９】
また、本実施形態においては、環境測定装置３を絞り込むために設定された条件として製造番号が設定される一例について説明したが、特にこれに限定されない。例えば、環境測定装置３に割り当てられるＢＤアドレスで絞り込んでもよい。
【符号の説明】
【００６０】
１  環境測定システム、３，３＿１〜３＿３  環境測定装置
３１  筐体、３２  端子部、３３  電源ボタン、３４，３４ａ〜３４ｅ  報知部
３５  センサ部、３５ａ  温湿度計、３５ｂ  ＣＯ計、３５ｃ  ＣＯ２計
３５ｄ  風速計、３５ｅ  粉塵計、３７  操作部
４１  データロガー部、４１ａ  ＣＰＵ、４１ｂ  メモリ
４３  電源部、４４  バッテリ
５  携帯端末、５１  筐体、５２  表示部、５３  操作部、５４  端子部
５５  通信部、５６  電源ボタン、６１  ＣＰＵ、６２  メモリ
６３  電源部、６４  バッテリ
１０１ａ〜１０４ａ，１１１ａ〜１１４ａ，１２１ａ  アイコン要素
１０１ｂ〜１０４ｂ，１１１ｂ〜１１４ｂ，１２１ｂ  ラベル要素
１１５，１１６  ラジオボタン要素、１１７，１１８  スクロールバー要素
１１９  ドロップダウンリスト要素
２０１，２０２  ステータス領域、２１１〜２１３  リストボックス要素
Ｍ  マスター機器、Ｓ  スレーブ機器
【図１】
2019185233.tif 000003
【図２】
2019185233.tif 000004
【図３】
2019185233.tif 000005
【図４】
2019185233.tif 000006
【図５】
2019185233.tif 000007
【図６】
2019185233.tif 000008
【図７】
2019185233.tif 000009
【図８】
2019185233.tif 000010
【図９】
2019185233.tif 000011
【図１０】
2019185233.tif 000012
【図１１】
2019185233.tif 000013